(57)【特許請求の範囲】
【請求項１】
傾斜した地盤面に沿って斜め上下方向に配設された構築物の側方において、前記地盤面に立設され、且つ前記構築物に着脱自在に固定される可動式仮設足場であって、
足場部材と、
前記足場部材を支持しつつ前記地盤面に立設される脚部材を有したベース部材と、
前記足場部材、又は前記ベース部材から、該ベース部材よりも斜め上方に位置する前記地盤面へ延びて該地盤面と接するサポート部材と、
前記ベース部材を前記構築物に対して着脱自在に固定する固定部材と、を備えたことを特徴とする可動式仮設足場。
【請求項２】
前記固定部材は、前記脚部材に対して上下方向に進退自在に構成されていることを特徴とする請求項１に記載の可動式仮設足場。
【請求項３】
前記サポート部材は、前記地盤面に向けて進退自在に構成されていることを特徴とする請求項１又は２に記載の可動式仮設足場。
【請求項４】
前記サポート部材は、作業員が歩行可能な上面を有することを特徴とする請求項１乃至３の何れか一項に記載の可動式仮設足場。
【請求項５】
前記固定部材を複数個備えると共に、隣接する前記固定部材間を接続する棒状の接続部材を備えていることを特徴とする請求項１乃至４の何れか一項に記載の可動式仮設足場。
【請求項６】
前記構築物は磁性体から構成されており、前記固定部材が磁石であることを特徴とする請求項１乃至５の何れか一項に記載の可動式仮設足場。
【発明の詳細な説明】
【技術分野】
【０００１】
本発明は、山等の傾斜した地盤面に沿って上下方向に配設された水圧鉄管等の構築物の側方において地盤面に立設される可動式の仮設足場に関し、特に、構築物に着脱自在に固定可能に構成して足場上を歩行する作業員の安全を確保しつつ、簡易な構成とすることにより設置、撤去、及び移動を容易に行えるようにした可動式の仮設足場に関する。
【背景技術】
【０００２】
ダム内の水を水力発電所へ導水するための水圧鉄管は、山の傾斜した地盤面に沿って配設されている。雨水等の影響により水圧鉄管の表面に発生した錆は、徐々に水圧鉄管を腐食させるため、定期的な点検及び保守作業が必要である。
従来実施されてきた代表的な保守作業には、１０〜１５年に１回程度行われる水圧鉄管外面の塗装作業がある。この作業においては、水圧鉄管の側方に長手方向に沿った大掛かりな仮設足場を構築して水圧鉄管の外面全体を塗装していた。このため、作業にかかる期間も費用も多大なものとなっていた。
【０００３】
近年では、コスト削減のため、水圧鉄管の外面のうち腐食した部分にのみ再塗装をすることが提案されている。水圧鉄管の一部分のみが作業対象となる場合に、水圧鉄管の全長に亘って大掛かりな足場を構築することは、非効率的、且つ非経済的である。
この問題を解決しうる発明として特許文献１には、作業対象となる部分に沿って設置される移動式の足場が記載されている。この足場は、水圧鉄管のような円筒管の外側に配設される移動式の足場であり、円筒管の外周方向に沿って円弧状に湾曲した円弧部と、円弧部から地盤面に向けて伸びる延出部とを備えた足場本体を備えている。円弧部を円筒管の上面に載置し、延出部を地盤面に接地させることで足場を安定させる。また、この足場は円筒管と接触する走行車輪を備えており、足場は円筒管の長手方向に沿って移動自在に構成されている。
【先行技術文献】
【特許文献】
【０００４】
【特許文献１】実開平７−２６４８２号公報
【発明の概要】
【発明が解決しようとする課題】
【０００５】
特許文献１に記載の移動式足場は、水平に設置された円筒管の外側に配設することを前提としており、傾斜した地盤面に沿って上下方向に配設された水圧鉄管等に配設することを前提としていない。仮に、水圧鉄管のような構築物の側方に特許文献１に記載の移動式足場を立設した場合には、傾斜面に沿って足場が滑り落ちたり、傾倒することになり、非常に危険である。
本発明は上述の事情に鑑みてなされたものであり、傾斜した地盤面に沿って上下方向に配設された構築物の側方に立設される足場であって、傾斜した地盤面であっても足場を安定して立設させることにより足場を歩行する作業員の安全を確保することができ、且つ設置及び移動が容易な可動式仮設足場を提供することを目的とする。
【課題を解決するための手段】
【０００６】
上記の課題を解決するために、請求項１に記載の発明は、傾斜した地盤面に沿って斜め上下方向に配設された構築物の側方において、前記地盤面に立設され、且つ前記構築物に着脱自在に固定される可動式仮設足場であって、足場部材と、前記足場部材を支持しつつ前記地盤面に立設される脚部材を有したベース部材と、前記足場部材、又は前記ベース部材から、該ベース部材よりも斜め上方に位置する前記地盤面へ延びて該地盤面と接するサポート部材と、前記ベース部材を前記構築物に対して着脱自在に固定する固定部材と、を備えたことを特徴とする。
請求項２に記載の発明は、前記固定部材は、前記脚部材に対して上下方向に進退自在に構成されていることを特徴とする。
請求項３に記載の発明は、前記サポート部材は、前記地盤面に向けて進退自在に構成されていることを特徴とする。
【０００７】
請求項４に記載の発明は、前記サポート部材は、作業員が歩行可能な上面を有することを特徴とする。
請求項５に記載の発明は、前記固定部材を複数個備えると共に、隣接する前記固定部材間を接続する棒状の接続部材を備えていることを特徴とする。
請求項６に記載の発明は、前記構築物は磁性体から構成されており、前記固定部材が磁石であることを特徴とする。
【発明の効果】
【０００８】
本発明によれば、固定部材により足場を構築物に固定し、サポート部材を地盤面と接触させて、足場を地盤面に安定して立設させるので、傾斜した地盤面であっても足場を歩行する作業員の安全を確保することができる。また、構成が簡易であるので、設置、撤去及び移動が非常に容易である。
【図面の簡単な説明】
【０００９】
【図１】本発明の第一の実施形態に係る可動式仮設足場を示す図であり、（ａ）は側面図であり、（ｂ）は（ａ）のＡ矢視図である。
【図２】本発明の第一の実施形態に係る可動式仮設足場の斜視図である。
【図３】足場部材及びサポート部材の斜視図である。
【図４】ベース部材を示す図である。
【図５】（ａ）、（ｂ）はサポート部材の変形例を示す図である。
【図６】本発明の第二の実施形態に係る可動式仮設足場を示す図であり、（ａ）は側面図であり、（ｂ）は（ａ）のＣ矢視図であり、（ｃ）は（ａ）のＤ矢視図である。
【発明を実施するための形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１１】
〔第一の実施形態〕
本発明の第一の実施形態に係る可動式仮設足場について図１及び図２に基づいて説明する。図１は、本発明の第一の実施形態に係る可動式仮設足場を示す図であり、（ａ）は側面図であり、（ｂ）は（ａ）のＡ矢視図である。図２は、本発明の第一の実施形態に係る可動式仮設足場の斜視図である。本実施形態に係る可動式仮設足場は、傾斜した地盤面に沿って斜め上下方向に配設された構築物の側方に着脱自在に固定される点に特徴がある。
【００１２】
まず、本発明の各実施形態に係る可動式仮設足場が固定される構築物の一例について説明する。
可動式仮設足場１が固定される構築物としては、例えばダム内の水を水力発電所へ導水するための水圧鉄管１００が好適である。水圧鉄管１００は、山等の傾斜した地盤面１１０等に沿って斜め上下方向に伸びる円筒状の導水パイプである。水圧鉄管１００には非常に高い水圧が加わるため、鋼鉄など高強度の素材を用いて作製されている。
可動式仮設足場１は、水圧鉄管１００の側方において、地盤面１１０に立設され、且つ水圧鉄管１００に着脱自在に固定される。可動式仮設足場１は、作業員が歩行する歩行面を形成する足場部材１０と、足場部材１０を支持しつつ地盤面１１０に立設される脚部材２１を有したベース部材２０と、足場部材１０から、ベース部材２０と地盤面１１０との接触部位１１０ａよりも斜め上方に位置する地盤面１１０ｂへ延びて地盤面１１０ｂと接するサポート部材４０と、ベース部材２０を水圧鉄管１００に対して着脱自在に固定する磁石７０（固定部材）と、を備えている。
【００１３】
図３は、足場部材及びサポート部材の斜視図である。
足場部材１０は、軽量且つ耐久性のある材料、例えばアルミニウムから作製された長尺、板状の部材であり、長手方向両端部にベース部材２０に設けられた支持部材３１（図４参照）に係止する係止部１１（１１Ａ、１１Ｂ）を備えている。係止部は、係止部１１Ａのように支持部材３１の外側面に係合する凹所を有したフック状の部材とすることができる。また係止部１１Ｂのように、支持部材３１の外側面に係合する凹所とすることができる。なお、係止部１１Ｂをフック状の部材としてもよいが、後述するサポート部材４０の進退動作を阻害しない位置に形成する必要がある。
足場部材１０の係止部１１が支持部材３１に係止されたときに、足場部材１０は、支持部材３１の軸線方向周りに上下方向に回動する（例えば図１（ａ）中矢印Ｂ方向）。足場部材１０は、長手方向が地盤面１１０の傾斜に沿った方向に伸び、且つ作業員の歩行面となる上面が略水平となるように設置される。
図１及び図２に示すように、可動式仮設足場１は、地盤面１１０の傾斜方向にみて上側と下側に配置された２つのベース部材２０（２０Ａ、２０Ｂ）を備えている。
【００１４】
図４は、ベース部材を示す図である。
各ベース部材２０は、互いに平行に地盤面１１０に立設される２つの脚部材２１、２１と、２つの脚部材２１、２１を接続・一体化すると共に、足場部材１０を支持する支持部材３１を備えている。
脚部材２１、２１と支持部材３１には、金属や樹脂、或いはグラスファイバー等、剛性を有する棒状部材を用いることができる。脚部材２１、２１と支持部材３１には、単管パイプ等の中空のパイプ材を用いることできる。脚部材２１、２１と支持部材３１とは、溶接等により予め固定的に一体化されていてもよいし、クランプ等により着脱自在に一体化されていてもよい。２つの脚部材２１のうち、一方の脚部材２１は水圧鉄管１００側に配置され、他方の脚部材２１は一方の脚部材２１よりも水圧鉄管１００から離間した位置に配置される（図１（ｂ）、図２参照）。
支持部材３１は、足場部材１０の係止部１１が係止されるとともに、足場部材１０を支持する。
なお、可動式仮設足場１が有するベース部材２０の個数には、特に制限はない。少なくとも足場部材１０を撓ませることなく支持することができればよい。
【００１５】
脚部材２１は、複数の棒状部材を伸縮自在に連結した構成を有する。即ち、脚部材２１は、軸方向に貫通した互いに内外径の異なる筒状の中空パイプ２１ａ、２１ｂを入れ子式に配置して、長手方向（図中上下方向）に伸縮自在に連結したものである。各中空パイプ２１ａ、２１ｂは円筒形である必要はなく、互いの外面形状と内面形状が整合し合う形状であればよい。
脚部材２１の長さを調整する長さ調整機構は、大径の中空パイプ２１ａの上端部に貫通形成された１個の貫通穴２３と、小径の中空パイプ２１ｂの下端部に貫通形成された複数の貫通穴２４と、貫通穴２３と何れか１つの貫通穴２４とに跨がって挿通されるロックピン２５とを有する。貫通穴２４は中空パイプ２１ｂの長手方向に沿って複数形成されている。
中空パイプ２１ａの貫通穴２３と中空パイプ２１ｂの何れか１つの貫通穴２４とを連通させた状態にて、両穴に跨がってロックピン２５を挿通することにより、脚部材２１を所定の長さに段階的に調整すると共に、その長さを固定することができる。
図３に示した脚部材２１の長さ調整機構は一例であって、脚部材の全長を伸長、又は短縮できる構造であれば、どのような機構を採用してもよい。また、中空パイプの数は説明の便宜のために設定したものであり、この例に限定されない。
【００１６】
ここで、支持部材３１は、上下方向に進退する小径の中空パイプ２１ｂに固定されている。このため、中空パイプ２１ｂの上下動に伴って支持部材３１が上下動する。即ち、脚部材２１を伸縮させる際に支持部材３１の地盤面１１０からの高さ位置が変化し、水圧鉄管１００に対する足場部材１０の高さ位置を調整できる。
なお、脚部材２１は、長さ調整機構を備えない構成としてもよい。この場合、支持部材３１を脚部材２１に対して上下動可能に構成して、足場部材１０の地盤面１１０からの高さ位置を調整可能にすることが望ましい。支持部材３１を脚部材２１の長手方向に沿って上下動させるには、例えば図６に示す可動式仮設足場２のようにクランプ８９を用いて支持部材３１を脚部材２１に取り付ければよい。
【００１７】
脚部材２１の下端には敷板２７が設けられている。また、敷板２７の下面には、脚部材２１の地盤面１１０に対する滑動を防止する滑止部材２８が設けられている。滑止部材２８としては、ゴムや樹脂等、地盤面との間で高い摩擦力を発生させる部材（高摩擦力発生部材）や、地盤面１１０に突き刺さる爪や突起を備えた部材等を用いることができる。
滑止部材２８の地盤面と接触する部位は、地盤面１１０の傾斜に応じてその傾斜角度が変更できるように構成されていることが望ましい。
例えば図４に示すように、滑止部材２８をネジ止め等の方法により敷板２７に対して着脱自在に構成することで、滑止部材２８の下面を地盤面１１０の傾斜に対応させることができる。即ち、傾斜の異なる複数の滑止部材２８から、地盤面１１０の傾斜に応じた滑止部材２８を選定して敷板２７に装着することで、滑り止め機能を効果的に発揮させることができる。
また、敷板２７を脚部材２１に対してヒンジ等により回動自在に支持することにより、滑止部材２８を地盤面１１０の傾斜に対応させるようにしてもよい。
【００１８】
ベース部材２０の上部、言い換えれば足場部材１０よりも上方に位置するベース部材２０の部位には、作業員の不慮の落下事故を防止する手摺３３、３５が取り付けられている（図２参照）。手摺３３は支持部材３１の上方に、ベース部材２０が有する２つの脚部材２１、２１を接続・一体化するように脚部材２１、２１に取り付けられている。手摺３５は、２つのベース部材２０Ａ、２０Ｂを接続・一体化するように、各ベース部材２０Ａ、２０Ｂの脚部材２１に取り付けられている。
【００１９】
磁石７０は、鋼鉄などの磁性体から作製された水圧鉄管１００に対してベース部材２０を着脱自在に固定する手段である。磁石７０は、水圧鉄管１００の表面に密着する湾曲面を有し、水圧鉄管１００の表面に磁力により吸着することにより、ベース部材２０を水圧鉄管１００に対して固定する。
磁石７０は、図２示すように脚部材２１に取り付けられてもよいし、支持部材３１に取り付けられてもよい（図６の支持部材８３及び磁石７０参照）。
磁石７０には、例えばいわゆるリフティングマグネットを用いることができる。リフティングマグネットは、吸着対象への吸着／非吸着（オン／オフ）を自在に切り替えることができるため、着脱が容易となる。電磁石を利用する電磁式リフティングマグネットも、永久磁石を利用する永磁式リフティングマグネットの何れも、磁石７０として使用することができる。しかし、後者は電源を必要としないため、可動式仮設足場１の小型化及び軽量化を図ることができる上、可動式仮設足場１の設置箇所が限定されにくいという利点を有する。
水圧鉄管１００の側面にリフティングマグネットを吸着させる際には、まずリフティングマグネットの吸着切替スイッチ（不図示）をオフ（非吸着）として水圧鉄管１００に対する位置決めを行い、位置が決定した後、リフティングマグネットの吸着切替スイッチをオン（吸着）にして水圧鉄管１００に吸着させればよい。また、水圧鉄管１００に吸着したリフティングマグネットをオフ（非吸着）にすれば、水圧鉄管１００から容易に取り外すことができる。
【００２０】
磁石７０は脚部材２１に対して上下方向に進退自在に取り付けられる。具体的には、磁石７０は脚部材２１の上下方向に進退自在な状態と、脚部材２１の上下方向の任意の部位に固定された状態とを自在に変更可能なクランプ７１を備える。クランプ７１には、例えば単管クランプを用いることができる。クランプ７１は、脚部材２１を挟圧保持したときに磁石７０を脚部材２１に対して進退不能に固定する一方で、クランプ７１を緩めたときには、磁石７０を脚部材２１の上下方向に進退自在にする。また、クランプ７１を完全に開放した場合には、磁石７０を脚部材２１から取り外すことができる。
磁石を脚部材２１に対して進退自在に構成することにより、磁石７０を水圧鉄管１００に対して固定した後に、脚部材２１の長さを調整して足場部材１０の地盤面１１０からの高さ位置を調整することができる。
【００２１】
可動式仮設足場１が有する磁石７０の数には特に制限はない。可動式仮設足場１は、複数の磁石７０を有している方がベース部材２０をより強固に水圧鉄管１００に対して固定できるので好適である。このため、本実施形態においては、各ベース部材２０の脚部材２１のうち、水圧鉄管側に位置する脚部材２１の夫々に磁石７０を備えている。
磁石７０を固定する水圧鉄管１００の部位は、水圧鉄管１００の長手方向と直交する断面の中心（水圧鉄管の軸線）を通り、水平方向に伸びる直線（直径を含む線）を考えたとき、この直線と水圧鉄管１００の表面との交点に相当する部位とすることが望ましい。この位置は、水圧鉄管１００の側方に脚部材２１を鉛直方向に立設した場合に、脚部材２１と水圧鉄管１００とが最短距離となる部位に等しい。また、複数の磁石７０を水圧鉄管１００の表面に磁着させる場合は、各磁石７０を水圧鉄管１００の長手方向に沿って配置することが望ましい。
【００２２】
ここで、２つの磁石７０間は直線、棒状の接続部材７３にて接続されている。接続部材７３は、磁石７０を水圧鉄管１００の長手方向に沿って取り付けるためのガイドとして機能する。即ち、接続部材７３と水圧鉄管１００外面との距離が、接続部材７３の長手方向において一定となるように水圧鉄管１００の外面に磁石７０を装着することで、磁石７０を水圧鉄管１００の長手方向に沿って取り付けることが可能となる。
水圧鉄管１００等の構築物の側面に可動式仮設足場１を着脱自在に固定する手段（固定部材）としては、磁石７０以外にも、構築物の側面に着脱自在に吸着する吸盤（吸着手段）を用いることができる。また、構築物が側面にフック等の被係止部材を備えている場合には、可動式仮設足場は、被係止部材に係止するロープやフック等の係止部材を、固定部材として備えてもよい。
【００２３】
サポート部材４０は、ベース部材２０と地盤面１１０との接触部位１１０ａよりも斜め上方に位置する地盤面１１０ｂと接触することにより可動式仮設足場１を補助的に支持して、その安定性を確保する。
図３に示すサポート部材４０は、足場部材１０と同様に軽量且つ耐久性のある材料、例えばアルミニウム等から作成された長尺、板状の部材である。サポート部材４０は、足場部材１０の内部（内側）に長手方向に沿って進退自在に挿入されており、地盤面１１０ｂに向けて進退する。サポート部材４０は、足場部材１０の上面を水平に保持しつつ、地盤面１１０ｂに接触する。また、サポート部材４０は進退動作時に支持部材３１とは干渉しない位置に配置されている。
【００２４】
可動式仮設足場１は、足場部材１０のサポート部材４０に対する相対移動を規制するロック機構４１を備えている。ロック機構４１は、例えば足場部材１０の短手方向に位置する各側面に貫通形成された挿通穴４２と、サポート部材４０の短手方向に位置する各側面に長手方向に沿って複数個貫通形成された挿通穴４３と、挿通穴４２と何れか１つの挿通穴４３とに跨がって挿通されるストッパピン４４とから構成することができる。
足場部材１０の挿通穴４２とサポート部材４０の何れかの挿通穴４３とを連通させた状態にて、両穴に跨がってストッパピン４４を挿通することにより、サポート部材４０の足場部材１０からの突出長を段階的に調整すると共に、足場部材１０に対するサポート部材４０の相対移動を規制する。
なお、上記方式のロック機構は一例であって、サポート部材４０の足場部材１０からの突出長を調整することができ、且つサポート部材４０が足場部材１０内に没入することを阻止することができる構造であれば、どのような機構を採用してもよい。
【００２５】
図３においてサポート部材４０は、作業員が歩行可能な上面（歩行面）を有する。特に、サポート部材４０は足場部材１０内に進退自在に収容されているので、足場部材１０との間で連続的な歩行面を形成することができ、作業員が歩行可能な歩行面を増大させることができる。
サポート部材４０は、地盤面１１０と接触する長手方向の端部下面にサポート部材４０の地盤面１１０に対する滑動を防止する滑止部材４５を備えている。滑止部材４５としては、ゴムや樹脂等、地盤面１１０との間で高い摩擦力を発生させる部材（高摩擦力発生部材）や、地盤面１１０に突き刺さる爪や突起等の部材を用いることができる。
【００２６】
サポート部材の変形例について説明する。図５（ａ）、（ｂ）はサポート部材の変形例を示す図である。
図５（ａ）に示すサポート部材５０は、足場部材１０によって長手方向に進退自在に支持された棒状部材５１と、棒状部材５１の先端において軸支部５２によって回動自在に支持された滑止部材５３とを備えている。棒状部材５１は、地盤面１１０ｂに向けて進退し、足場部材１０の上面を略水平に保持しつつ、地盤面１１０ｂに接触する。
棒状部材５１の外面には雄ネジが形成されており、足場部材１０の長手方向一側面に形成された穴５４内に形成された雌ネジと螺合する。棒状部材５１を軸周りに回転させることにより、棒状部材５１の突出長を無段階に調整でき、足場部材１０に対するサポート部材５０の相対移動を禁止することができる。また、滑止部材５３を軸支部５２周りに回動させることで、滑止部材５３の下面（地盤面１１０との接触面）の角度を地盤面１１０の傾斜に応じて調整することができる。
【００２７】
サポート部材は、図５（ｂ）に示すサポート部材６０のように、脚部材２１の適所から、脚部材２１と地盤面１１０との接触部位１１０ａよりも斜め上方に位置する地盤面１１０ｂへ延びて、地盤面１１０ｂと接触する部材としてもよい。図示するサポート部材６０は、脚部材２１の適所から突出形成された中空のパイプ６１と、パイプ６１によって進退自在に支持された棒状部材６２と、棒状部材６２の先端に配置された滑止部材６３とを備える。棒状部材６２は地盤面１１０ｂに向けて進退し、足場部材１０の上面を略水平に保持しつつ、地盤面１１０ｂに接触する。パイプ６１の内面には雌ネジが形成され、棒状部材６２の外面には雄ネジが形成されており、両ネジは螺合する。棒状部材６２を軸周りに回転させることにより、棒状部材６２の突出長を無段階に調整できる、パイプ６１に対する棒状部材６２の相対移動を禁止することができる。なお、サポート部材６０は、ベース部材２０Ａ、２０Ｂ（図１（ａ）参照）の何れに設けてもよい。
【００２８】
このようにサポート部材を備えることにより、可動式仮設足場１が地盤面１１０と複数の箇所において接触し、可動式仮設足場１を支持することができるので、可動式仮設足場１の安定性が高まる。
また、滑止部材は図５（ａ）に示す滑止部材５３のように、地盤面１１０の傾斜に応じて接触面（下面）の角度を調整できるように、サポート部材の先端部によって回動自在に軸支されていてもよい。
なお、可動式仮設足場は、足場部材１０から延びるサポート部材（４０又は５０）と、脚部材２１から延びるサポート部材６０の双方を備えてもよい。
【００２９】
本実施形態に係る可動式仮設足場の設置方法について説明する。
可動式仮設足場１を設置する場合は、予め２つのベース部材２０Ａ、２０Ｂと足場部材１０とを一体化させておく。即ち、２つのベース部材２０Ａ、２０Ｂの各支持部材３１、３１に足場部材１０の係止部１１Ａ、１１Ｂを夫々係止して、側面視概略Ｈ形状の仮設足場を構築しておく。
可動式仮設足場１を、水圧鉄管１００の作業対象となる部位の側方に立設させる。
一方のベース部材２０に設けられた磁石７０（例えば斜面の下側に位置するベース部材２０Ａに設けられた磁石７０）を水圧鉄管１００の側面に固定する。このとき、クランプ７１を緩めておき、磁石７０が、脚部材２１の長手方向に自在に進退するようにしておく。非吸着状態（オフ）の磁石７０を水圧鉄管１００の側面の適所に配置する。具体的には、水圧鉄管１００の長手方向と直交する断面において水平方向に伸びる直径の延長線上に磁石７０を配置する。その後、磁石７０を吸着状態（オン）にして、磁石を水圧鉄管１００の側面に固定する。
【００３０】
同様にして、他方のベース部材２０に設けられた磁石７０（例えば斜面の上側に位置するベース部材２０Ｂに設けられた磁石７０）を水圧鉄管１００の側面に固定する。このとき、接続部材７３と水圧鉄管１００外面との距離が、接続部材７３の長手方向において一定となる位置に磁石７０を配置する。
続いて、脚部材２１の長さを調整して、足場部材１０の地盤面１１０からの高さを作業に適した位置となるように設定する。クランプ７１を緩めたまま、脚部材２１の中空パイプ２１ｂを長手方向に上下動させて中空パイプ２１ａの貫通穴２３と中空パイプ２１ｂの何れかの貫通穴２４とを連通させ、両穴に跨がってロックピン２５を挿通して、脚部材２１を固定する。
クランプ７１を脚部材２１に締結して、磁石７０を脚部材２１に固定する。
【００３１】
最後に、サポート部材４０を足場部材１０から突出させて、ベース部材２０Ｂと地盤面１１０との接触部位１１０ａよりも斜め上方に位置する地盤面１１０ｂと接触させる。
設置した可動式仮設足場１を移動させる場合は、サポート部材４０を足場部材１０内に退避させ、磁石７０の吸着をオフにして可動式仮設足場１を水圧鉄管１００から取り外し、次の作業場所まで移動させて、上記と同様の設置作業を行えばよい。
なお、本実施形態に示した可動式仮設足場は、傾斜した地盤面のみならず、地盤面の高さが段階的に変化する階段に設置することも可能である。
【００３２】
〔第二の実施形態〕
本発明の第二の実施形態に係る可動式仮設足場について図６に基づいて説明する。図６は、本発明の第二の実施形態に係る可動式仮設足場を示す図であり、（ａ）は側面図であり、（ｂ）は（ａ）のＣ矢視図であり、（ｃ）は（ａ）のＤ矢視図である。本実施形態に係る可動式仮設足場は、いわゆる一側足場であり、ベース部材が１つの脚部材を有する点に特徴がある。以下、第一の実施形態と同様の部分には同一の符号を付してその説明を省略する。
【００３３】
本実施形態に示す可動式仮設足場２は、地盤面の傾斜方向に沿って上下方向に３つのベース部材８０（８０Ａ、８０Ｂ、８０Ｃ）を備えている。
夫々のベース部材８０は、図６（ｂ）に示すように、地盤面１１０に立設された１つの脚部材８１と、脚部材８１から脚部材の長手方向と直交する方向に突出して足場部材１０（１０Ａ、１０Ｂ）を支持する支持部材８３と、支持部材８３の姿勢を維持する補強材としての斜材８５と、を備える。斜材８５の一部は支持部材８３の適所に固定されており、支持部材８３と斜材８５とは片持ち状のブラケット８７を構成する。
【００３４】
支持部材８３と斜材８５は、クランプ８９により脚部材８１に固定されている。クランプ８９には、例えば単管クランプを用いることができる。クランプ８９は、脚部材８１を挟圧保持したときに支持部材８３と斜材８５を脚部材８１に対して進退不能に固定する一方で、クランプ８９を緩めたときには、支持部材８３と斜材８５を脚部材８１の長手方向に進退自在にする。従って、クランプ８９を緩めて脚部材８１の長手方向における支持部材８３の位置をずらすことにより、足場部材１０の地盤面１１０からの高さ位置を自在に調整することができる。なお、クランプ８９を完全に開放した場合には、支持部材８３と斜材８５を脚部材８１から取り外すことができる。
支持部材８３には第一の実施形態と同様に足場部材１０の係止部１１（１１Ａ、１１Ｂ）が係止される。
【００３５】
本実施形態に係る可動式仮設足場２は、水圧鉄管１００の長手方向に沿って３つの磁石７０（７０ａ、７０ｂ、７０ｃ）を有している。３つの磁石のうち中央に位置する磁石７０ａのみが、ベース部材８０Ａの支持部材８３に固定されている。支持部材８３は、脚部材８１の長手方向に自在に進退することから、磁石７０ａも脚部材８１の長手方向に対して自在に進退する。その他の磁石７０ｂ、７０ｃは、直線的に伸びる棒状の接続部材７３によって磁石７０ａと接続されている。接続部材７３は、第一の実施形態と同様に、３つの磁石７０を水圧鉄管１００の長手方向に沿って取り付けるためのガイドとして機能する。
【００３６】
地盤面１１０の傾斜方向にみて最上方に位置するベース部材８０Ｂと中央に位置するベース部材８０Ａの夫々の支持部材８３には、足場部材１０Ａが係止されている。足場部材１０Ａは第一の実施形態に示した足場部材１０（図３参照）と同様の構成であり、その内部にサポート部材４０を収容している。
地盤面１１０の傾斜方向にみて中央に位置するベース部材８０Ｂと最下方に位置するベース部材８０Ｃの夫々の支持部材８３には、足場部材１０Ｂが係止されている。足場部材１０Ｂは軽量且つ耐久性のあるアルミニウムから作製された長尺、板状の部材から構成されている。足場部材１０Ｂは、長手方向両端部に支持部材８３に係止する係止部１１Ａを備えている。即ち足場部材１０Ｂは、内部にサポート部材４０を収容していない以外は、足場部材１０Ａと略同様の構成である。
【００３７】
以上のように本実施形態によれば、ベース部材が有する脚部材を１つとしたので、可動式仮設足場の軽量化を図ることができる。また、ベース部材及び足場部材は、本実施形態に示したように、適宜増設することができる。
なお、第一の実施形態に係る可動式仮設足場を構成する各部材と、第二の実施形態に係る可動式仮設足場を構成する各部材は、矛盾しない限り相互に入れ替えて実施してもよい。
【００３８】
〔本発明の実施態様例と効果〕
＜第一の実施態様＞
本態様に係る可動式仮設足場（１、２）は、傾斜した地盤面１１０に沿って斜め上下方向に配設された水圧鉄管１００（構築物）の側方において、地盤面１１０に立設され、且つ水圧鉄管１００に着脱自在に固定される可動式仮設足場である。可動式仮設足場は、足場部材１０と、足場部材１０を支持しつつ地盤面１１０に立設される脚部材（２１、８１）を有したベース部材（２０、８０）と、足場部材１０、又はベース部材（２０、８０）から、ベース部材よりも斜め上方に位置する地盤面１１０ｂへ延びて地盤面１１０と接するサポート部材（４０、５０、６０）と、ベース部材（２０、８０）を水圧鉄管に対して着脱自在に固定する磁石７０（固定部材）と、を備えたことを特徴とする。
本実施態様に係る可動式仮設足場によれば、固定部材により足場を構築物に固定し、サポート部材を地盤面と接触させて、足場を地盤面に安定して立設させるので、傾斜した地盤面であっても足場を歩行する作業員の安全を確保することができる。また、構成が簡易であるので、設置、撤去及び移動が非常に容易である。
【００３９】
＜第二の実施態様＞
本態様に係る可動式仮設足場においては、固定部材（磁石７０）が脚部材（２１、８１）に対して上下方向に進退自在に構成されている点に特徴がある。
即ち、第一の実施形態において磁石７０は、立設された脚部材２１の長手方向に自在に進退するようにクランプ７１によって脚部材２１に取り付けられている。また、第二の実施形態において磁石７０は、立設された脚部材８１の長手方向に自在に進退する支持部材８３の取り付けられており、脚部材８１に対して自在に上下動する構成である。
本実施態様によれば、磁石７０を脚部材に対して上下動自在に構成したので、磁石の取り付けに適した水圧鉄管１００の側面部位に合わせて、脚部材に対する磁石７０の位置を調整できる。
【００４０】
＜第三の実施態様＞
本態様に係る可動式仮設足場１においてサポート部材（４０、５０、６０）は、地盤面１１０ｂに向けて進退自在に構成されていることを特徴とする。
地盤面１１０ｂの傾斜角度に対応してサポート部材を進退させることで、サポート部材を確実に地盤面１１０ｂに接触させることができ、可動式仮設足場１を補助的に支持して、その安定性を確保することができる。
【００４１】
＜第四の実施態様＞
本態様に係る可動式仮設足場１においてサポート部材４０は、作業員が歩行可能な上面を有することを特徴とする。
作業員はサポート部材４０の上面を歩行することができるので、足場部材１０の上面と合わせ、全体として歩行面が増大する。
【００４２】
＜第五の実施態様＞
本態様に係る可動式仮設足場は、磁石７０（固定部材）を複数個備えると共に、隣接する磁石間を接続する棒状の接続部材７３を備えていることを特徴とする。
接続部材７３と水圧鉄管１００外面との距離が、接続部材７３の長手方向において一定となるように水圧鉄管１００の外面に磁石７０を装着することで、磁石７０を水圧鉄管１００の長手方向に沿って取り付けることが可能となる。即ち、接続部材７３は、磁石７０を水圧鉄管１００の長手方向に沿って取り付けるためのガイドとして機能する。
【００４３】
＜第六の実施態様＞
本態様に係る可動式仮設足場において水圧鉄管１００（構築物）は磁性体から構成されており、固定部材が磁石であることを特徴とする。
本実施態様に係る可動式仮設足場は、水圧鉄管１００の側方に立設する仮設足場として好適である。
【符号の説明】
【００４４】
１、２…可動式仮設足場、１０…足場部材、１１…係止部、２０…ベース部材、２１…脚部材、２１ａ、２１ｂ…中空パイプ、２３、２４…貫通穴、２５…ロックピン、２７…敷板、２８…滑止部材、３１…支持部材、３３、３５…手摺、４０…サポート部材、４１…ロック機構、４２、４３…挿通穴、４４…ストッパピン、４５…滑止部材、５０…サポート部材、５１…棒状部材、５２…軸支部、５３…滑止部材、５４…穴、６０…サポート部材、６１…パイプ、６２…棒状部材、６３…滑止部材、７０…磁石、７１…クランプ、７３…接続部材、８０…ベース部材、８１…脚部材、８３…支持部材、８５…斜材、８７…ブラケット、８９…クランプ、１００…水圧鉄管、１１０…地盤面、１１０ａ…接触部位、１１０ｂ…地盤面
【図１】
0005851533.tif 000002
【図２】
0005851533.tif 000003
【図３】
0005851533.tif 000004
【図４】
0005851533.tif 000005
【図５】
0005851533.tif 000006
【図６】
0005851533.tif 000007